(57)【要約】【課題】高価なシステムを構築しなくても遠心運転実績情報の記録に要する作業を簡易化することの可能な遠心機を提供する。【解決手段】制御部５は、遠心運転が終了すると（Ｓ１,ＹＥＳ）、当該遠心運転に異常があったか否かを確認する（Ｓ２）。制御部５は、当該遠心運転に異常があった場合は（Ｓ２,ＹＥＳ）、当該遠心運転に関する遠心運転実績情報の識別コード表示を行わない。制御部５は、当該遠心運転に異常が無ければ（Ｓ２,ＮＯ）、所定の遠心運転実績情報の識別コードをタッチパネル６に表示する（Ｓ３）。制御部５は、タッチパネル６に所定の操作が行われる（Ｓ４,ＹＥＳ）、又は識別コード表示を始めてから所定の時間が経過すると（Ｓ５,ＹＥＳ）、タッチパネル６から前記識別コードを消去し（Ｓ６）、タッチパネル６を通常表示に戻す。【選択図】図７
2015123432.tif 000002
【特許請求の範囲】
【請求項１】
駆動部と、
前記駆動部によって回転駆動されるロータと、
前記ロータを収納するロータ室と、
前記駆動部を制御する制御部と、
運転条件を設定する操作部と、
運転条件を表示する表示部とを備え、
前記制御部は、前記ロータの停止を検出すると、直近の遠心運転に関する１つ以上の遠心運転実績情報を含む識別コードを前記表示部に表示する、遠心機。
【請求項２】
前記制御部は、遠心運転に異常があった場合は、前記ロータの停止を検出しても前記識別コードを前記表示部に表示しない、請求項１に記載の遠心機。
【請求項３】
駆動部と、
前記駆動部によって回転駆動されるロータと、
前記ロータを収納するロータ室と、
前記駆動部を制御する制御部と、
運転条件を設定する操作部と、
運転条件を表示する表示部とを備え、
前記制御部は、運転停止中に前記操作部に所定の操作が行われると、直近の遠心運転に関する１つ以上の遠心運転実績情報を含む識別コードを前記表示部に表示する、遠心機。
【請求項４】
前記制御部は、運転中に前記操作部に所定の操作が行われると、前回の遠心運転に関する１つ以上の遠心運転実績情報を含む識別コードを前記表示部に表示する、請求項３に記載の遠心機。
【請求項５】
前記制御部は、異常があった遠心運転に関する遠心運転実績情報は識別コード表示の対象としない、請求項１から４のいずれか一項に記載の遠心機。
【請求項６】
前記ロータ室を密閉する開閉可能なドアを備え、前記制御部は、前記ドアが開けられると前記表示部の前記識別コードを消去する、請求項１から５のいずれか一項に記載の遠心機。
【請求項７】
前記制御部は、前記表示部に前記識別コードを表示してから所定の時間が経過すると前記表示部の前記識別コードを消去する、請求項１から６のいずれか一項に記載の遠心機。
【請求項８】
前記制御部は、前記表示部のうち遠心運転実績に関連する情報を文字ないし数字で表示する領域に、当該情報に対応する遠心運転実績情報を含む識別コードを表示する、請求項１から７のいずれか一項に記載の遠心機。
【請求項９】
前記遠心運転実績情報は、本遠心機の個体識別情報を含む、請求項１から８のいずれか一項に記載の遠心機。
【請求項１０】
前記遠心運転実績情報は、試料に印加された累積遠心加速度に関する情報及び運転中の試料温度に関する情報の少なくともいずれかを含む、請求項１から９のいずれか一項に記載の遠心機。
【請求項１１】
前記識別コードが一次元コード又は二次元コードである請求項１から１０のいずれか一項に記載の遠心機。
【発明の詳細な説明】
【技術分野】
【０００１】
本発明は、例えば血液製剤の製造に使用可能な遠心機に関する。
【背景技術】
【０００２】
遠心機では一般に、分離対象の試料（例えば培養液や血液など）を収容した試料容器をロータに保持し、ドアにより密閉されたロータ室（回転室）内でモータ等の駆動装置によりロータを高速回転させ、試料容器内の試料に遠心力を働かせることで試料の分離や精製等を行う（下記特許文献１）。
【先行技術文献】
【特許文献】
【０００３】
【特許文献１】特開２０１１−１１０４６７号公報
【発明の概要】
【発明が解決しようとする課題】
【０００４】
血液製剤の製造工程では、製剤原料のトレーサビリティの観点から、遠心運転実績情報と血液バッグＩＤをセットで記録することが望ましい。そのため、複数の遠心機をネットワークを通じてサーバに接続し、血液バッグに付されたバーコードを読み取るためのバーコードリーダを個々の遠心機に設け、個々の遠心機から送信される遠心運転実績情報と血液バッグＩＤを前記サーバにて専用ソフトウェアにより一元管理するシステムが提案されている。しかし、こうしたシステムは構築に多額の費用を要するため普及していないのが現状である。一方、毎回の運転の度に遠心運転実績情報を手入力で記録するのは煩雑である。
【０００５】
本発明はこうした状況を認識してなされたものであり、その目的は、高価なシステムを構築しなくても遠心運転実績情報の記録に要する作業を簡易化することの可能な遠心機を提供することにある。
【課題を解決するための手段】
【０００６】
本発明のある態様は、遠心機である。この遠心機は、
駆動部と、
前記駆動部によって回転駆動されるロータと、
前記ロータを収納するロータ室と、
前記駆動部を制御する制御部と、
運転条件を設定する操作部と、
運転条件を表示する表示部とを備え、
前記制御部は、前記ロータの停止を検出すると、直近の遠心運転に関する１つ以上の遠心運転実績情報を含む識別コードを前記表示部に表示する。
【０００７】
前記制御部は、遠心運転に異常があった場合は、前記ロータの停止を検出しても前記識別コードを前記表示部に表示しなくてもよい。
【０００８】
本発明のもう１つの態様は、遠心機である。この遠心機は、
駆動部と、
前記駆動部によって回転駆動されるロータと、
前記ロータを収納するロータ室と、
前記駆動部を制御する制御部と、
運転条件を設定する操作部と、
運転条件を表示する表示部とを備え、
前記制御部は、運転停止中に前記操作部に所定の操作が行われると、直近の遠心運転に関する１つ以上の遠心運転実績情報を含む識別コードを前記表示部に表示する。
【０００９】
前記制御部は、運転中に前記操作部に所定の操作が行われると、前回の遠心運転に関する１つ以上の遠心運転実績情報を含む識別コードを前記表示部に表示してもよい。
【００１０】
前記制御部は、異常があった遠心運転に関する遠心運転実績情報は識別コード表示の対象としなくてもよい。
【００１１】
前記ロータ室を密閉する開閉可能なドアを備え、前記制御部は、前記ドアが開けられると前記表示部の前記識別コードを消去してもよい。
【００１２】
前記制御部は、前記表示部に前記識別コードを表示してから所定の時間が経過すると前記表示部の前記識別コードを消去してもよい。
【００１３】
前記制御部は、前記表示部のうち遠心運転実績に関連する情報を文字ないし数字で表示する領域に、当該情報に対応する遠心運転実績情報を含む識別コードを表示してもよい。
【００１４】
前記遠心運転実績情報は、本遠心機の個体識別情報を含んでもよい。
【００１５】
前記遠心運転実績情報は、試料に印加された累積遠心加速度に関する情報及び運転中の試料温度に関する情報の少なくともいずれかを含んでもよい。
【００１６】
前記識別コードが一次元コード又は二次元コードであってもよい。
【００１７】
なお、以上の構成要素の任意の組合せ、本発明の表現を方法やシステムなどの間で変換したものもまた、本発明の態様として有効である。
【発明の効果】
【００１８】
本発明によれば、高価なシステムを構築しなくても遠心運転実績情報の記録に要する作業を簡易化することの可能な遠心機を提供することができる。
【図面の簡単な説明】
【００１９】
【図１】本発明の実施の形態に係る遠心機１の内部構成説明図。
【図２】図１のタッチパネル６の通常表示時の表示例（その１）を示す説明図。
【図３】タッチパネル６の識別コード表示時の表示例（その１）を示す説明図。
【図４】タッチパネル６の通常表示時の表示例（その２）を示す説明図。
【図５】タッチパネル６の識別コード表示時の表示例（その２）を示す説明図。
【図６】タッチパネル６の識別コード表示時の表示例（その３）を示す説明図。
【図７】図１の制御部５による遠心運転実績情報の識別コード表示に係る制御のフローチャート（その１）。
【図８】遠心機１における、遠心運転が正常な場合のロータ３の回転速度及びタッチパネル６の表示状態のタイムチャート。
【図９】遠心機１における、遠心運転に異常があった場合のロータ３の回転速度及びタッチパネル６の表示状態のタイムチャート。
【図１０】制御部５による遠心運転実績情報の識別コード表示に係る制御のフローチャート（その２）。
【図１１】遠心機１の遠心運転実績情報を血液バッグＩＤと共に管理する管理システムの説明図。
【発明を実施するための形態】
【００２０】
以下、図面を参照しながら本発明の好適な実施の形態を詳述する。なお、各図面に示される同一または同等の構成要素、部材、処理等には同一の符号を付し、適宜重複した説明は省略する。また、実施の形態は発明を限定するものではなく例示であり、実施の形態に記述されるすべての特徴やその組み合わせは必ずしも発明の本質的なものであるとは限らない。
【００２１】
図１は、本発明の実施の形態に係る遠心機１の内部構成説明図である。遠心機１は、駆動部としてのモータ２と、モータ２によって回転駆動されるロータ３と、ロータ３を収納するロータ室４と、モータ２を制御する制御部５と、運転条件の設定や表示を行うタッチパネル６とを備える。ロータ３は、分離対象の試料（例えば培養液や血液など）を収容した不図示の試料容器を保持して高速回転する。ロータ室４は、ステンレスなど錆びにくい材料からできているボウル７によって形成される。ボウル７の上部開口にはドア８が開閉自在に設けられ、ドア８によってロータ室４を密閉可能である。タッチパネル６は、タッチセンサ機能を持つＬＣＤ（Liquid Crystal Display）であり、操作部としての機能と表示部としての機能を兼ね備える。
【００２２】
図２は、図１のタッチパネル６の通常表示時の表示例（その１）を示す説明図である。タッチパネル６は、遠心運転を開始させるためのスタートボタン６ａと、遠心運転を停止させるためのストップボタン６ｂと、遠心運転に関する各種パラメータの設定等を行うためのファンクションボタン６ｃとを表示する。なお、ここでいう「ボタン」は、ＧＵＩ（グラフィカルユーザインタフェース）上のボタンであるが、各ボタンは機械的な押しボタンであってもよい。タッチパネル６は、例えば以下の各情報を表示する。
・現在日時
・ロータ３の回転速度（現在値、設定値）
・運転時間（残存値、設定値）
・試料温度（現在値、設定値）
・ロータ３の型番
・ロータ３の加速勾配、減速勾配の選択値
・使用者名（使用者識別情報）
【００２３】
図３は、図１のタッチパネル６の識別コード表示時の表示例（その１）を示す説明図である。図３の表示例では、図２の表示例においてファンクションボタン６ｃが表示されていた領域に、識別コードの例示である一次元コードとしてのバーコード６ｄ,６ｅが表示されている。バーコード６ｄは、遠心機１の個体識別情報を示す。バーコード６ｅは、試料に印加された累積遠心加速度を示す。
【００２４】
図４は、図１のタッチパネル６の通常表示時の表示例（その２）を示す説明図である。図４の表示例では、ファンクションボタン６ｃの中に識別コード表示ボタン６ｇが表示される。識別コード表示ボタン６ｇは、使用者が手動でタッチパネル６に識別コードを表示させるときに使用するボタンである。識別コード表示ボタン６ｇを押すと、タッチパネル６は、図３又は後述の図５若しくは図６に示すような識別コード表示に切り替わる。
【００２５】
図５は、図１のタッチパネル６の識別コード表示時の表示例（その２）を示す説明図である。図５の表示例では、前述の各情報が文字ないし数字で表示されていた領域に、当該情報に対応する遠心運転実績情報を含む識別コード（ここではバーコード）が表示されている。こうした表示により、使用者は所望の遠心運転実績情報がどこに表示されているかを直感的に理解しやすくなる。前述の各情報に対応する遠心運転実績情報は以下のとおりである。
・現在日時
・ロータ３の回転速度（実績値、設定値）
・運転時間（実績値、設定値）
・試料温度（実績値、設定値）
・ロータ３の型番
・ロータ３の加速勾配設定値、減速勾配設定値
・使用者名（使用者識別情報）
【００２６】
図５の表示例に含まれる遠心運転実績情報は、上記の他に、試料に印加された累積遠心加速度、運転開始日時、運転終了日時等がある。遠心運転実績情報はさらに、遠心機１の個体識別情報（図示せず）や累積運転時間（図示せず）等を含んでもよい。どのような遠心運転実績情報を識別コード表示の対象とするかは、使用者が必要に応じて選択できるようにしておくと便利である。図５の表示例では、また、識別コード表示終了ボタン６ｈが表示されている。識別コード表示終了ボタン６ｈは、使用者が手動でタッチパネル６を通常表示に戻すときに使用するボタンである。識別コード表示終了ボタン６ｈを押すと、タッチパネル６は、図２又は図４に示すような通常表示に切り替わる。なお、図３及び後述の図６の表示例において識別コード表示終了ボタンを追加してもよい。あるいは、識別コード表示終了ボタンによらず、タッチパネル６上の任意の場所に触れることで識別コード表示を終了させる制御も可能である。
【００２７】
図６は、図１のタッチパネル６の識別コード表示時の表示例（その３）を示す説明図である。図６の表示例では、前述の複数の遠心運転実績情報を１つの二次元コード６Ｉで表示している。二次元コード６Ｉは、例えばＱＲコード（登録商標）である。識別コードとして二次元コード６Ｉを用いることで、複数の遠心運転実績情報を一括して読み取ることができる。さらに、識別コードとしてカラーコード（色の配列を使って情報を表現するコード体系）を表示しても良く、この場合は、専用のリーダーの代わりにカメラで認識するので、かなり離れていても認識が可能である。上記のようにタッチパネル６に識別コードとして一次元コード、二次元コード、あるいはカラーコードなどのコード化された情報（図案化されたコード情報）を表示することによって、効率よく情報の入力ができる。
【００２８】
図７は、図１の制御部５による遠心運転実績情報の識別コード表示に係る制御のフローチャート（その１）である。このフローチャートは、遠心運転が終了すると自動的に遠心運転実績情報の識別コード表示を行う例である。遠心運転の終了は、例えばモータ２の回転停止により検出する。制御部５は、遠心運転が終了すると（Ｓ１,ＹＥＳ）、当該遠心運転に異常があったか否かを確認する（Ｓ２）。制御部５は、当該遠心運転に異常があった場合は（Ｓ２,ＹＥＳ）、当該遠心運転に関する遠心運転実績情報の識別コード表示を行わない。制御部５は、当該遠心運転に異常が無ければ（Ｓ２,ＮＯ）、所定の遠心運転実績情報の識別コードをタッチパネル６に表示する（Ｓ３）。このときの表示画面は、例えば図３、図５又は図６に示したとおりである。制御部５は、所定の操作が行われる（Ｓ４,ＹＥＳ）、又は識別コード表示を始めてから所定の時間が経過すると（Ｓ５,ＹＥＳ）、タッチパネル６から前記識別コードを消去し（Ｓ６）、タッチパネル６を例えば図２又は図４に示す通常表示に戻す。よって、遠心機１の運転中は、タッチパネル６が図２又は図４のような通常表示となるため、使用者は容易に運転状況を確認することができる。また運転終了後は、タッチパネル６が図３、図５又は図６のような識別コード表示となるため、使用者はバーコードリーダ等を使って容易に管理装置に遠心運転実績情報を入力することができ、使用者の入力に掛かる負担を軽減することができる。なお、識別コード表示を消去する契機となる前記所定の操作は、ドア８の開放操作、図５に示す識別コード表示終了ボタン６ｈを押す操作、あるいはタッチパネル６上の任意の場所を触ることであってもよい。
【００２９】
図８は、遠心運転が正常な場合のロータ３の回転速度及びタッチパネル６の表示状態のタイムチャートである。時刻ｔ０において使用者がスタートボタン６ａを押すと、制御部５は、モータ２を制御してロータ３の加速を開始する。時刻ｔ１においてロータ３が設定回転速度に到達すると、制御部５は、ロータ３の加速を終了し、ロータ３の回転数を維持する（遠心機１は整定状態となる）。制御部５は、設定時間が経過した（あるいは使用者がストップボタン６ｂを押した）時刻ｔ２において、モータ２を制御してロータ３の減速を開始する。時刻ｔ３においてロータ３が停止すると、制御部５は、タッチパネル６を図２又は図４に示す通常表示から図３、図５又は図６に示す識別コード表示に切り替える。制御部５は、識別コード表示に切り替えてから所定の時間が経過した時刻ｔ４において、タッチパネル６を図２又は図４に示す通常表示に戻す（識別コード表示を消去する）。
【００３０】
図９は、遠心運転に異常があった場合のロータ３の回転速度及びタッチパネル６の表示状態のタイムチャートである。以下、図８との相違点を説明する。時刻ｔ１で遠心機１が整定状態となった後、時刻ｔ５において遠心運転に何らかの異常が発生すると、制御部５は、モータ２を制御してロータ３の減速を開始する。なお、ここでの減速は異常処理に伴うものであり、正常なブレーキ制御が不可能となって減速勾配が緩やかに（多くの場合、ブレーキがかけられない自然減速に）なった状態を図示している。なお、異常が発生した場合は、運転を中断したことによって、使用者が求める累積遠心加速度も得られないので、試料は正常な遠心処理が施されていない。制御部５は、ロータ３の減速開始とともに、タッチパネル６にエラー情報を表示する（遠心運転実績情報の識別コードは表示しない）。エラー情報の表示は、ロータ３が停止した時刻ｔ６以降も継続される。
【００３１】
図１０は、図１の制御部５による遠心運転実績情報の識別コード表示に係る制御のフローチャート（その２）である。このフローチャートは、使用者がタッチパネル６への識別コード表示の有無を手動で切り替える例である。制御部５は、図４の識別コード表示ボタン６ｇが押されると（Ｓ１１,ＹＥＳ）、正常に終了した直近の遠心運転に関する遠心運転実績情報の識別コードをタッチパネル６に表示する（Ｓ１２）。このときの表示画面は、例えば図３、図５又は図６に示したとおりである。なお、運転中に識別コード表示ボタン６ｇが押された場合、正常に終了した直近の遠心運転は、現在進行中の遠心運転ではなく、前回の正常に終了した遠心運転を指すことになる。制御部５は、所定の操作が行われると（Ｓ１３,ＹＥＳ）、タッチパネル６から前記識別コードを消去する（Ｓ１４）、タッチパネル６を通常表示に戻す。識別コード表示を消去する契機となる前記所定の操作は、図７の場合と同じでよい。なお、制御部５は、図７のフローチャートと同様に、識別コード表示を始めてから所定の時間が経過した場合も前記識別コードを消去するように制御してもよい。
【００３２】
図１１は、図１の遠心機１の遠心運転実績情報を血液バッグＩＤと共に管理する管理システムの説明図である。試料となる血液が入った血液バッグ９には、血液バッグＩＤを示すバーコード（識別コードの一例）が予め付されている。パーソナルコンピュータ等の管理装置１０は、バーコードリーダ１１が接続される。接続方式は、図示の例ではＵＳＢや有線ＬＡＮによる有線方式であるが、管理装置１０と遠心機１との距離がある場合には、Ｗｉ−Ｆｉ等の無線ＬＡＮやBluetooth（登録商標）による無線接続であると便利である。遠心運転実績情報を記録する際には、遠心機１に血液バッグ９をセットして遠心運転を行った後、バーコードリーダ１１により、血液バッグ９に付されたバーコード（血液バッグＩＤ）と、タッチパネル６に表示された遠心運転実績情報のバーコードとを読み取る。バーコードリーダ１１からの入力は管理装置１０においてキーボード入力と同様に扱うことができるので、専用の一元管理のソフトウェアを用意しなくても、図１１の出力例に示すように周知のワープロソフトや表計算ソフトで記録することができる。なお、血液以外を試料とする場合にも、同様に試料ＩＤと遠心運転実績情報を記録、管理したり、遠心機１の稼働実績のみを記録、管理することも可能である。
【００３３】
本実施の形態によれば、下記の効果を奏することができる。
【００３４】
(1) 遠心運転実績情報をタッチパネル６にバーコード等の識別コードとして表示する構成のため、血液バッグＩＤ等の試料ＩＤ及び遠心運転実績情報の双方をバーコードリーダ１１等で読み取って管理装置１０に入力できる。このため、高価なシステムを構築しなくても、遠心運転実績情報の記録に要する作業を簡易化することが可能となる。また、遠心機本体の新規導入や更新の時期に関係なく導入可能であり、運用開始に要する費用と期間が少なくて済む。
【００３５】
(2) 遠心運転実績情報の記録を必要とするのは、血液製剤の製造工程のようにルーチン業務であることが多いので、図７で説明したように遠心運転終了時に遠心運転実績情報を自動的に識別コード表示すれば、表示切替えの手間が省けて業務の効率化が図れる。ここで、遠心運転に異常があった場合には識別コードを表示しないため、使用者が反射的あるいは習慣的に識別コード読取り作業を行って異常の発生を見逃すことを防止でき、遠心運転に異常があった試料を正常処理された試料と確実に区別することができる。
【００３６】
(3) 図１０で説明したような手動での識別コード表示を可能とすることで、使用者が遠心運転実績情報の識別コードを読み取り損ねて次の遠心運転を始めてしまっても、前回の遠心運転に関する遠心運転実績情報を読み出せるので、作業ミスを容易に取り戻すことができる。
【００３７】
(4) 図７で説明したようにドア８の開放操作や所定の時間の経過により識別コード表示を消去して通常表示に復帰する制御にすると、表示切替え操作をしなくても次の遠心運転に関する設定を行うときには通常表示になっているため効率がよい。
【００３８】
以上、実施の形態を例に本発明を説明したが、実施の形態の各構成要素や各処理プロセスには請求項に記載の範囲で種々の変形が可能であることは当業者に理解されるところである。
【符号の説明】
【００３９】
１  遠心機、２  モータ、３  ロータ、４  ロータ室、５  制御部、６  タッチパネル、６ａ  スタートボタン、６ｂ  ストップボタン、６ｃ  ファンクションボタン、６ｄ,６ｅ  バーコード、６ｇ  識別コード表示ボタン、６ｈ  識別コード表示終了ボタン、６Ｉ  二次元コード、７  ボウル、８  ドア、９  血液バッグ、１０  管理装置、１１  バーコードリーダ
【図１】
2015123432.tif 000003
【図２】
2015123432.tif 000004
【図３】
2015123432.tif 000005
【図４】
2015123432.tif 000006
【図５】
2015123432.tif 000007
【図６】
2015123432.tif 000008
【図７】
2015123432.tif 000009
【図８】
2015123432.tif 000010
【図９】
2015123432.tif 000011
【図１０】
2015123432.tif 000012
【図１１】
2015123432.tif 000013